(57)【要約】      （修正有）【課題】発電機の残りの運転可能時間をより正確に算出する監視制御装置及び監視システムを提供する。【解決手段】監視制御装置は、受信手段と、演算処理手段とを備える。受信手段は、発電機で用いられる燃料の現在の残量に関する情報を受信（Ｂｌｏｃｋ１００２）する。演算処理手段は、現状の発電機負荷での燃料消費量及び残量を用いて発電機の残りの運転可能時間を算出（Ｂｌｏｃｋ１００８）する。【選択図】図２
2014211680.tif 000002
【特許請求の範囲】
【請求項１】
発電機で用いられる燃料の現在の残量に関する情報を受信する受信手段と、
現状の発電機負荷での燃料消費量及び前記残量を用いて前記発電機の残りの運転可能時間を算出する演算処理手段と、
を備える、監視制御装置。
【請求項２】
発電機で用いられる燃料の現在の残量に関する情報を受信する受信手段と、
各フィーダの現在の消費電力量及び前記残量を用いて前記発電機の残りの運転可能時間を算出する演算処理手段と、
を備える、監視制御装置。
【請求項３】
発電機で用いられる燃料の現在の残量に関する情報を受信する受信手段と、
過去の発電機負荷での燃料消費量及び各フィーダの消費電力量に関するトレンドデータを保存する記憶手段と、
前記トレンドデータ及び前記残量を用いて前記発電機の残りの運転可能時間を算出する演算処理手段と、
を備える、監視制御装置。
【請求項４】
発電機で用いられる燃料の現在の残量を取得する取得手段と、
過去の発電機負荷での燃料消費量及び各フィーダの消費電力量に関するトレンドデータを保存する記憶手段と、
現状の発電機負荷での燃料消費量または各フィーダの現在の消費電力量の何れか１つ及び前記トレンドデータ、並びに前記残量を用いて前記発電機の残りの運転可能時間を算出する演算処理手段と、
を備える、監視制御装置。
【請求項５】
前記演算処理手段は、現在時刻から予め定められた時間Ｔまでは前記現状の発電機負荷での消費電力量または前記各フィーダの現在の燃料消費量の何れか１つを用い、前記Ｔ以降は前記トレンドデータを用いて前記発電機の残りの運転可能時間を算出する、請求項４記載の監視制御装置。
【請求項６】
前記演算処理手段は、前記現状の発電機負荷での消費電力量または前記各フィーダの現在の燃料消費量の何れか１つよりも前記トレンドデータを用いる比率を経時的に上げて前記発電機の残りの運転可能時間を算出する、請求項４記載の監視制御装置。
【請求項７】
発電機で用いられる燃料の現在の残量に関する情報を前記発電機から取得する監視装置と、
前記残量に関する情報を前記監視装置から受信する受信手段と、
現状の発電機負荷での燃料消費量及び前記残量を用いて前記発電機の残りの運転可能時間を算出する演算処理手段と、
を備える、監視制御装置と、
を備える、監視システム。
【請求項８】
発電機で用いられる燃料の現在の残量に関する情報を前記発電機から取得する監視装置と、
前記残量に関する情報を前記監視装置から受信する受信手段と、
各フィーダの現在の消費電力量及び前記残量を用いて前記発電機の残りの運転可能時間を算出する演算処理手段と、
を備える、監視制御装置と、
を備える、監視システム。
【請求項９】
発電機で用いられる燃料の現在の残量に関する情報を前記発電機から取得する監視装置と、
前記残量に関する情報を前記監視装置から受信する受信手段と、
過去の発電機負荷での燃料消費量及び各フィーダの消費電力量に関するトレンドデータを保存する記憶手段と、
前記トレンドデータ及び前記残量を用いて前記発電機の残りの運転可能時間を算出する演算処理手段と、
を備える、監視制御装置、
を備える、監視システム。
【発明の詳細な説明】
【技術分野】
【０００１】
本実施形態は、発電機を監視する監視制御装置及び監視システムに関する。
【背景技術】
【０００２】
従来は、発電機の導入段階で必要な負荷を選び、負荷に見合う発電容量を決め、発電機の運転時間に見合う燃料タンクの容量を決めていた。発電機運転時には、油面計から分かる残油量と、経験値としての平均燃料消費量から発電機の残りの運転可能時間を予測して運用を行っていた。
【先行技術文献】
【特許文献】
【０００３】
【特許文献１】特開平１０−１４２０２３号公報
【発明の概要】
【発明が解決しようとする課題】
【０００４】
しかしながら、発電機の負荷の増減によって発電機の残りの運転可能時間は変わるため、監視員は、発電機の残りの運転可能時間を正確に把握することが困難であった。そのため、監視制御装置は、発電機の運転時に、残油量がある一定量（ΔＬ１）を下回った際に油面低下の警報を発生させていた。また、監視制御装置は、残油量がさらに下回りある一定量（ΔＬ２）を下回った場合には、発電機の運転を停止させていた。
【０００５】
本発明は、発電機の残りの運転可能時間をより正確に算出する監視制御装置及び監視システムを提供することである。
【課題を解決するための手段】
【０００６】
実施形態によれば、監視制御装置は、受信手段と、演算処理手段とを備える。前記受信手段は、発電機で用いられる燃料の現在の残量に関する情報を受信する。前記演算処理手段は、現状の発電機負荷での燃料消費量及び前記残量を用いて前記発電機の残りの運転可能時間を算出する。
【図面の簡単な説明】
【０００７】
【図１】実施形態に係る一例となる監視システムの構成図。
【図２】実施形態に係る一例となる監視制御装置による処理を示すフローチャート。
【発明を実施するための形態】
【０００８】
以下、本実施形態について図面を参照して説明する。
【０００９】
はじめに、実施形態に係る一例となる監視システム１の構成について説明する。図１は、一例となる監視システム１の構成図である。監視システム１は、ｎ個（ｎは１以上）の第１の監視子局（監視装置）１０−１〜第ｎの監視子局（監視装置）１０−ｎ、監視制御装置２０を備える。互いに離間して配置されている第１の監視子局２０−１〜第ｎの監視子局２０−ｎ及び監視制御装置１０は、互いに信号の授受が可能となるようにデータ伝送路３０を介して接続されている。
【００１０】
第１の監視子局１０−１〜第ｎの監視子局１０−ｎは、各種設備、装置等と接続され、監視、制御する。
【００１１】
第１の監視子局１０−１は、電気室に配置されている。第１の監視子局１０−１は、受変電設備４０１と接続されている。第１の監視子局１０−１は、受変電設備４０１を監視する装置である。受変電設備４０１は、電力会社または後述する発電機４０３から電気の供給を受け、必要な電圧に変換し、各負荷設備へ配電する設備である。なお、負荷設備は、発電機４０３の負荷（以降、発電機負荷という）となり得る設備、装置等である。
【００１２】
第１の監視子局１０−１は、受変電設備４０１との間で各種信号を送受信する。例えば、第１の監視子局１０−１は、監視制御装置２０からの指示に基づいて、受変電設備４０１の運転のＯＮ（開始）またはＯＦＦ（停止）を指示する運転信号を受変電設備４０１に送信する。例えば、第１の監視子局１０−１は、受変電設備４０１の運転状態を通知する運転状態信号を受変電設備４０１から受信する。例えば、第１の監視子局１０−１は、監視制御装置２０からの指示に基づいて、各負荷設備への配電の開始、停止を切り替えるために、各負荷設備と接続されたフィーダの遮断を指示する信号を受変電設備４０１に送信する。例えば、第１の監視子局１０−１は、各フィーダの現在時刻（リアルタイムまたは現在ということもある）の消費電力量（単位時間当たり）に関する情報を含む信号を受変電設備４０１から受信する。
【００１３】
第１の監視子局１０−１は、処理部１０１、記憶部１０２、第１の通信部１０３、第２の通信部１０４を備える。処理部１０１は、第１の監視子局１０−１を構成する各要素の動作を制御する。記憶部１０２は、オペレーティングシステムおよびアプリケーションプログラムを記憶する。さらに、記憶部１０２は、各種データを記憶する。第１の通信部１０３は、第１の監視子局１０−１と監視システム１を構成する他の各要素との間で各種信号を送受信する。第２の通信部１０４は、第１の監視子局１０−１と受変電設備４０１との間で上述したような各種信号を送受信する。
【００１４】
第ｎの監視子局１０−ｎは、発電機室に配置されている。第ｎの監視子局１０−ｎは、発電機制御装置４０２を介して、発電機４０３と接続されている。第ｎの監視子局１０−ｎは、発電機制御装置４０２を介して発電機４０３を監視する装置である。発電機制御装置４０２は、発電機４０３の動作を制御する。発電機４０３は、需要家の常用または非常用電源として備えられている設備である。発電機４０３は、発電機４０３で用いられる燃料である重油の現在時刻（リアルタイムまたは現在ということもある）の残油量を計測する図示しない油面計を備えた燃料タンクを備える。
【００１５】
第ｎの監視子局１０−ｎは、発電機制御装置４０２との間で各種信号を送受信する。例えば、第ｎの監視子局１０−ｎは、監視制御装置２０からの指示に基づいて、発電機４０３の運転のＯＮまたはＯＦＦを指示する運転信号を発電機制御装置４０２に送信する。例えば、第ｎの監視子局１０−ｎは、発電機４０３の運転状態を通知する運転状態信号を、発電機制御装置４０２を介して発電機４０３から受信する。例えば、第ｎの監視子局１０−ｎは、発電機４０３で用いられる燃料の現在時刻の残油量に関する情報を含む信号を、発電機制御装置４０２を介して発電機４０３から取得する。なお、第ｎの監視子局１０−ｎは、第１の監視子局１０−１が備える処理部１０１、記憶部１０２、第１の通信部１０３、第２の通信部１０４と同様の構成を備えていてもよく、説明を省略する。
【００１６】
他の監視子局は、発電機４０３が発電した電力を消費する図示しない負荷設備と接続されている。他の監視子局は、負荷設備との間で各種信号を送受信する。例えば、他の監視子局は、監視制御装置２０からの指示に基づいて、負荷設備の運転のＯＮまたはＯＦＦを指示する運転信号を負荷設備に送信する。例えば、他の監視子局は、負荷設備の運転状態を通知する運転状態信号を負荷設備から受信する。なお、他の監視子局は、第１の監視子局１０−１が備える処理部１０１、記憶部１０２、第１の通信部１０３、第２の通信部１０４と同様の構成を備えていてもよく、説明を省略する。
【００１７】
監視制御装置２０は、監視室に配置されている。監視制御装置２０は、第１の監視子局１０−１〜第ｎの監視子局１０−ｎを制御することで、これらに接続された各種設備、装置等を監視し、状況に応じて制御する。
【００１８】
監視制御装置２０は、処理部（演算処理手段）２０１、記憶部（記憶手段）２０２、通信部２０３、表示部２０４、警報発生部２０５を備える。処理部２０１は、監視制御装置２０を構成する各要素の動作を制御する。また、処理部２０１は、監視システム１全体を制御するための各種演算を実行する。処理部２０１は、一例として、後述するように、第１の監視子局１０−１、第ｎの監視子局１０−ｎから受信した情報を参照して、現状（現在ということもある）の発電機負荷での発電機４０３の残りの運転可能時間（以降、残運転時間という）を演算する。
【００１９】
記憶部２０２は、オペレーティングシステムおよびアプリケーションプログラムを記憶する。さらに、記憶部２０２は、各種データを記憶する。例えば、記憶部２０２は、過去の時刻毎及び曜日毎の各フィーダの消費電力量（単位時間当たり）、過去の時刻毎及び曜日毎の残油量及び発電機負荷での燃料消費量（単位時間当たり）、過去の時刻毎及び曜日毎の平均燃料消費量（単位時間当たり）などの状態変化の記録（以降、過去のトレンドデータという）を保存する。過去のトレンドデータは、監視制御装置２０が第１の監視子局１０−１、第ｎの監視子局２０−ｎそれぞれから取得した情報に基づいて記憶部２０２に保存される。過去の時刻毎及び曜日毎の各フィーダの消費電力量は、監視制御装置２０が第１の監視子局１０−１から所定のタイミングで受信する各フィーダの現在時刻の消費電力量に関する情報に基づいて算出される。過去の時刻毎及び曜日毎の残油量及び発電機負荷での燃料消費量は、監視制御装置２０が第ｎの監視子局１０−ｎから所定のタイミングで受信する現在時刻の残油量に関する情報に基づいて算出される。過去の時刻毎及び曜日毎の平均燃料消費量も、監視制御装置２０が第ｎの監視子局１０−ｎから所定のタイミングで受信する現在時刻の残油量に関する情報に基づいて算出される。なお、平均燃料消費量は、例えば、過去１月の同じ時刻の平均、同じ曜日の平均などであるが、限定されない。なお、過去のトレンドデータは、上記以外の過去の電力に関するデータを含んでいてもよく、限定されない。
【００２０】
通信部２０３は、監視制御サーバ２０と監視システム１を構成する他の各要素との間で信号を送受信する。  
表示部２０４は、各種情報を表示するディスプレイである。  
警報発生部２０５は、警報を鳴動させるスピーカである。
【００２１】
次に、実施形態の作用について説明する。図２は、実施形態に係る一例となる監視制御装置２０による処理を示すフローチャートである。
【００２２】
処理部２０１は、発電機４０３が運転中か否かを判断する（Ｂｌｏｃｋ１００１）。処理部２０１は、通信部２０３が第ｎの監視子局１０−ｎを介して発電機４０３から受信する運転状態信号に基づいて、発電機４０３が運転中か否かを判断する。発電機４０３が運転中でない場合（Ｂｌｏｃｋ１００１、Ｎｏ）、処理部２０１は、Ｂｌｏｃ１００１に戻って、発電機４０３が運転中になるまで待つ。
【００２３】
発電機４０３が運転中である場合（Ｂｌｏｃｋ１００１、Ｙｅｓ）、処理部２０１は、発電機４０３の残油量を測定する（Ｂｌｏｃｋ１００２）。Ｂｌｏｃｋ１００２では、処理部２０１は、通信部（受信手段）２０３が発電機４０３で用いられる燃料の現在時刻の残油量に関する情報を含む信号を第ｎの監視子局１０−ｎから受信することで、発電機４０３の残油量を取得できる。
【００２４】
処理部２０１は、残油量が一定量（ΔＬ１）以下か否かを判断する（Ｂｌｏｃｋ１００３）。残油量がΔＬ１以下でない場合（Ｂｌｏｃｋ１００３、Ｎｏ）、処理部２０１は、Ｂｌｏｃ１００１に戻って、発電機４０３の残油量を測定する。残油量がΔＬ１以下である場合（Ｂｌｏｃｋ１００３、Ｙｅｓ）、処理部２０１は、その旨のメッセージ、サイレンなどの警報音を警報発生部２０５から鳴動させるように制御する（Ｂｌｏｃｋ１００４）。監視員は、警報音を聞くことで、発電機４０３の残油量が少なくなっていることを把握し、対処することができる。
【００２５】
処理部２０１は、Ｂｌｏｃｋ１００２の処理とほぼ同じタイミングで、以下に説明するＢｌｏｃｋ１００５〜Ｂｌｏｃｋ１００７のうちの少なくとも１つの処理を実行する。
【００２６】
Ｂｌｏｃｋ１００５では、処理部２０１は、現状の発電機負荷での燃料消費量（単位時間当たり）を取得する。例えば、処理部２０１は、通信部２０３が第ｎの監視子局１０−ｎから受信する残油量に関する情報を参照し、単位時間当たりの残油量の変化量に基づいて、現状の発電機負荷での燃料消費量を取得する。
【００２７】
Ｂｌｏｃｋ１００６では、処理部２０１は、各フィーダの現在時刻の消費電力量（単位時間当たり）を取得する。処理部２０１は、通信部２０３が第１の監視子局１０−１から受信する各フィーダの現在時刻の消費電力量に関する情報に基づいて、各フィーダの現在時刻の消費電力量を取得する。
【００２８】
Ｂｌｏｃｋ１００７では、処理部２０１は、記憶部２０２に保存されている過去のトレンドデータを取得する。
【００２９】
処理部２０１は、現状の発電機負荷での燃料消費量及び各フィーダの現在時刻の消費電力量及び過去のトレンドデータのうちの少なくとも１つ、並びに残油量を用いて、発電機４０３の残運転時間を演算する（Ｂｌｃｏｋ１００８）。残運転時間の演算例については、後述する。  
処理部２０１は、残運転時間を演算した後、後述するＢｌｏｃｋ１００９及びＢｌｏｃｋ１０１０を組とする処理、Ｂｌｏｃｋ１０１１の処理、並びにＢｌｏｃｋ１０１２〜Ｂｌｏｃｋ１０１３を組とする処理のうち少なくとも１つの処理を実行する。
【００３０】
Ｂｌｏｃｋ１００９では、処理部２０１は、残運転時間が一定時間（ΔＴ１）以下か否かを判断する。残運転時間が一定時間ΔＴ１以下でない場合（Ｂｌｏｃｋ１００９、Ｎｏ）、処理部２０１は、残運転時間がΔＴ１以下になるまで待つ。残運転時間が一定時間ΔＴ１以下である場合（Ｂｌｏｃｋ１００９、Ｙｅｓ）、処理部２０１は、該当フィーダを遮断制御する（Ｂｌｏｃｋ１０１０）。Ｂｌｏｃｋ１０１０では、処理部２０１は、予め決められたフィーダの遮断を指示する信号を、第１の監視子局１０−１を介して受変電設備４０１に送信する。受変電設備４０１が予め決められたフィーダを遮断すると、このフィーダと接続されている負荷設備には、電力供給がなされなくなる。
【００３１】
遮断対象となるフィーダは、例えば、負荷設備の重要度に応じて予め決められている。予め決められたフィーダが遮断されると、発電機負荷は軽減し、発電機４０３における燃料消費量または発電機負荷での消費電力量も軽減する。その結果、運転中の負荷設備の運転時間は長くなる。なお、処理部２０１は、１つのフィーダだけでなく複数のフィーダの遮断を指示する信号を受変電設備４０１に送信してもよい。例えば、処理部２０１は、残運転時間に応じて、重要度の低い負荷設備順に、その負荷設備に接続されているフィーダを１以上適宜選択するようにしてもよい。例えば、処理部２０１は、予め決められた重要な負荷設備以外の全ての負荷設備に関するフィーダの遮断を指示する信号を受変電設備４０１に送信してもよい。監視制御装置２０は、重要な負荷設備のみ運転を継続させることで、この重要な負荷設備の運転時間を最大限に延ばすことができる。
【００３２】
Ｂｌｏｃｋ１０１１では、処理部２０１は、残運転時間を表示部２０４に表示するように制御する。監視員は、表示部２０４の画面上で残運転時間を見ることで、発電機負荷を軽減するなど、残運転時間が少ないことに適切に対処することができる。
【００３３】
Ｂｌｏｃｋ１０１２では、処理部２０１は、残運転時間が一定時間（ΔＴ２）以下か否かを判断する。残運転時間が一定時間ΔＴ２以下でない場合（Ｂｌｏｃｋ１０１２、Ｎｏ）、処理部２０１は、残運転時間が一定時間ΔＴ２以下になるまで待つ。残運転時間が一定時間ΔＴ２以下である場合（Ｂｌｏｃｋ１０１２、Ｙｅｓ）、処理部２０１は、その旨のメッセージ、サイレンなどの警報音を警報発生部２０５から鳴動させるように制御する（Ｂｌｏｃｋ１０１３）。監視員は、警報音を聞くことで、発電機負荷を軽減するなど、残運転時間が少ないことに適切に対処することができる。
【００３４】
処理部２０１は、警報履歴を記憶部２０２に保存する。警報履歴は、例えば、警報発生時におけるＢｌｏｃｋ１００５で取得された現状の発電機負荷での燃料消費量、Ｂｌｏｃｋ１００６で取得された各フィーダの現在時刻の消費電力量及びＢｌｏｃｋ１００８で演算された残運転時間などのうちの少なくとも１つのデータを含む。なお、Ｂｌｏｃｋ１０１４の処理は、必須ではなく、任意であってもよい。
【００３５】
Ｂｌｏｃｋ１０１０、Ｂｌｏｃｋ１０１１及びＢｌｏｃｋ１０１４のうちの少なくとも１つの処理の後、処理部２０１は、残油量がΔＬ１より少ない一定量（ΔＬ２）以下か否かを判断する（Ｂｌｏｃｋ１０１５）。残油量がΔＬ２以下でない場合（Ｂｌｏｃｋ１０１５、Ｎｏ）、処理部２０１は、残油量がΔＬ２以下になるまで待つ。残油量がΔＬ２以下である場合（Ｂｌｏｃｋ１０１５、Ｙｅｓ）、処理部２０１は、発電機４０３の運転停止を制御する（Ｂｌｏｃｋ１０１６）。Ｂｌｏｃｋ１０１６では、処理部２０１は、発電機４０３の運転のＯＦＦを指示する運転信号を発電機制御装置４０２に送信するように制御する。発電機制御装置４０２は、運転信号に基づいて、発電機４０３の運転を停止させる。
【００３６】
次に、Ｂｌｏｃｋ１００８における残運転時間の算出例について説明する。  
例えば、処理部２０１は、現状の発電機負荷での燃料消費量及び残油量を用いて、残運転時間を算出する。
【００３７】
例えば、処理部２０１は、各フィーダの現在時刻の消費電力量及び残油量を用いて、残運転時間を算出する。
【００３８】
例えば、処理部２０１は、過去のトレンドデータ及び残油量を用いて、残運転時間を算出する。処理部２０１は、過去のトレンドデータに含まれる燃料消費量または消費電力量の何れか１つを用いて、残運転時間を算出できる。なお、処理部２０１は、過去のトレンドデータに含まれる燃料消費量を用いて取得した残運転時間と、過去のトレンドデータに含まれる消費電力量を用いて取得した残運転時間との平均をとって、残運転時間を算出してもよい。
【００３９】
例えば、処理部２０１は、現状の発電機負荷での燃料消費量または各フィーダの現在時刻の消費電力量の何れか１つ及び過去のトレンドデータ、並びに残油量を用いて、残運転時間を算出することができる。この場合、処理部２０１は、現在時刻から予め定められた時間ΔＴ３の間は、現状の発電機負荷での燃料消費量または各フィーダの現在時刻の消費電力量の何れか１つを用い、時間ΔＴ３以降は過去のトレンドデータを用いて残運転時間を算出する。例えば、処理部２０１は、現状の発電機負荷での燃料消費量または各フィーダの現在時刻の消費電力量に基づいて時間ΔＴ３の間に発電機４０３が使用する燃料量を算出し、残油量から時間ΔＴ３に使用される燃料量を減算した燃料量及び過去のトレンドデータを用いて時間ΔＴ３以降の発電機４０３の運転可能時間を算出する。処理部２０１は、時間ΔＴ３に時間ΔＴ３以降の運転可能時間を加算して残運転時間を算出する。時間ΔＴ３は、例えば、３時間、６時間などの時間単位であっても、１日または３日などの日単位でもよい。
【００４０】
例えば、処理部２０１は、現状の発電機負荷での燃料消費量または各フィーダの現在時刻の消費電力量の何れか１つ及び過去のトレンドデータ、並びに残油量を用いて、残運転時間を算出するが、現状の発電機負荷での消費電力量または各フィーダの現在時刻の燃料消費量の何れか１つよりも過去のトレンドデータを用いる比率を経時的に上げて残運転時間を算出するようにしてもよい。例えば、処理部２０１は、現在時刻から１時間毎に過去のトレンドデータの比率を１０％ずつ上げるようにしてもよい。現在時刻から１時間は、現状の発電機負荷での燃料消費量または各フィーダの現在時刻の消費電力量の何れか１つを用いる割合を１００％とし、過去のトレンドデータを用いる割合を０％として、処理部２０１は、この１時間に発電機４０３が使用する燃料量を算出する。次の１時間は、現状の発電機負荷または各フィーダの現在時刻の消費電力量の何れか１つを用いる割合を９０％とし、過去のトレンドデータを用いる割合を１０％として、処理部２０１は、この１時間に発電機４０３が使用する燃料量を算出する。次の１時間は、現状の発電機負荷での燃料消費量または各フィーダの現在時刻の消費電力量の何れか１つを用いる割合を８０％とし、過去のトレンドデータを用いる割合を２０％として、処理部２０１は、この１時間に発電機４０３が使用する燃料量を算出する。処理部２０１は、各時間における燃料量の積算値が残油量に到達するまで演算を続け、現在時刻から各時間における燃料量の積算値が残油量に到達するまでの時間を残運転時間として算出する。処理部２０１は、現在時刻からの経過時間が短ければ、現状の発電機負荷での燃料消費量または各フィーダの現在時刻の消費電力量を用いた方がより正確な残運転時間を演算できる。一方、処理部２０１は、現在時刻からの経過時間が長くなればなるほど、過去のトレンドデータに依存した方がより正確な残運転時間を演算できる。
【００４１】
なお、処理部２０１は、残運転時間の演算手法によっては、Ｂｌｏｃｋ１００２〜Ｂｌｏｃｋ１００５のうちの必要な情報を取得するための処理をすればよく、全ての処理をする必要はない。
【００４２】
なお、処理部２０１は、Ｂｌｏｃｋ１０１４で保存した警報履歴を参照して残運転時間を演算するようにしてもよい。例えば、処理部２０１は、警報回数に応じた所定の係数を各フィーダの消費電力量に乗じて得られた値を用いてもよい。例えば、処理部２０１は、警報を多発したフィーダの消費電力量を２倍にして用いてもよい。これは、消費電力量の測定値に誤りがある可能性があるため、消費電力量を補正するためである。
【００４３】
本実施形態によれば、発電機４０３の残運転時間をより正確に算出することが可能となる。予め決められたフィーダを遮断することで、重要な負荷設備をできるだけ長い時間継続して運転させることが可能となる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１…監視システム、１０−１…第1の監視子局、１０−ｎ…第ｎの監視子局、２０…監視制御装置、３０…データ伝送路、１０１…処理部、１０２…記憶部、１０３…第１の通信部、１０４…第２の通信部、２０１…処理部、２０２…記憶部、２０３…通信部、２０４…表示部、２０５…警報発生部、４０１…受変電設備、４０２…発電機制御装置、４０３…発電機。
【図１】
2014211680.tif 000003
【図２】
2014211680.tif 000004